(57)【要約】【課題】通路口に設けた戸によって間仕切り壁で区切った空間の利用に制限を生じ難い開閉壁を提供する。【解決手段】本発明は、少なくとも上下一方に設けた第１レール２１と、第１レール２１に沿って移動自在の複数のパネル３とを備えており、第１レール２１に沿って複数のパネル３を並べることで、パネル３を間仕切り壁４とする開閉壁１である。開閉壁１は、間仕切り壁４の通路口５に、第１レール２１に比べて小寸の第２レール２２を平面視第１レール２１と並列に配置して、通路口５の引き戸６を第２レール２２に沿ってスライド移動自在に設けたものである。【選択図】図１
2015055127.tif 000002
【特許請求の範囲】
【請求項１】
少なくとも上下一方に設けた第１レールと、この第１レールに沿って移動自在の複数のパネルとを備え、前記第１レールに沿って複数の前記パネルを並べることで、前記パネルを間仕切り壁とする開閉壁であって、
前記間仕切り壁の通路口に、前記第１レールに比べて小寸の第２レールを平面視前記第１レールと並列に配置し、
前記通路口の引き戸を前記第２レールに沿ってスライド移動自在に設けたものであることを特徴とする開閉壁。
【請求項２】
前記間仕切り壁で区切る部屋の天井に、前記第２レールと、前記第１レールに前記第２レールを接続する第３レールとを固定するよう構成し、
前記引き戸が、前記第３レールを介して、前記第１レールに移動自在であることを特徴とする請求項１記載の開閉壁。
【請求項３】
前記引き戸の前記第３レールへの移動を規制するストッパーを、前記第３レールに脱着自在で設けたものであることを特徴とする請求項２記載の開閉壁。
【請求項４】
前記第１レールの長手方向において前記通路口に隣接する前記パネルの前記間仕切り壁の壁面となる板面に、前記第２レールを設け、
前記引き戸が、前記第２レールを介して、前記パネルに対してスライド移動自在であることを特徴とする請求項１記載の開閉壁。
【発明の詳細な説明】
【技術分野】
【０００１】
本発明は、部屋の境界上に並べることで間仕切り壁となる開閉壁に関するものである。
【背景技術】
【０００２】
従来、間仕切り壁となる開閉壁として、天井に設けたレールに移動可能に吊支された複数の間仕切りパネルを、レールに沿って順次移動させ、室内を仕切るようにした移動間仕切り装置がある（特許文献１等）。この移動間仕切り装置は、ドア付間仕切りパネルを有する。そして、このドア付間仕切りパネルは、正面視下向きコ字状のドア枠と、このドア枠に開閉自在（回動自在）に取り付けられたドアとを備える。
【先行技術文献】
【特許文献】
【０００３】
【特許文献１】特開２００９−１９７４０２号公報
【発明の概要】
【発明が解決しようとする課題】
【０００４】
しかしながら、特許文献１のドア付間仕切りパネル等の回動式のドアを備えた開閉壁では、レールの側方（平面視においてレールの長手方向に直交する向き）に、ドアの幅を半径とした平面視半円状等の扇状のスペースが必要となる。これによって、従来の開閉壁では、間仕切り壁で区切った空間の利用が制限されるおそれがある。
【０００５】
そこで、本発明は、上記従来の問題点に鑑みて発明したもので、その目的とするところは、通路口に設けた戸によって間仕切り壁で区切った空間の利用に制限を生じ難い開閉壁を提供することにある。
【課題を解決するための手段】
【０００６】
上記課題を解決するために、本発明は、少なくとも上下一方に設けた第１レールと、この第１レールに沿って移動自在の複数のパネルとを備え、前記第１レールに沿って複数の前記パネルを並べることで、前記パネルを間仕切り壁とする開閉壁である。本発明の開閉壁は、前記間仕切り壁の通路口に、前記第１レールに比べて小寸の第２レールを平面視前記第１レールと並列に配置し、前記通路口の引き戸を前記第２レールに沿ってスライド移動自在に設けたものであることを特徴とする。
【０００７】
この開閉壁として、前記間仕切り壁で区切る部屋の天井に、前記第２レールと、前記第１レールに前記第２レールを接続する第３レールとを固定するよう構成することが好ましい。そして、この開閉壁として、前記引き戸が、前記第３レールを介して、前記第１レールに移動自在であることが好ましい。
【０００８】
この開閉壁として、前記引き戸の前記第３レールへの移動を規制するストッパーを、前記第３レールに脱着自在で設けたものであることが好ましい。
【０００９】
この開閉壁として、前記第１レールの長手方向において前記通路口に隣接する前記パネルの前記間仕切り壁の壁面となる板面に、前記第２レールを設けることが好ましい。そして、この開閉壁として、前記引き戸が、前記第２レールを介して、前記パネルに対してスライド移動自在であることが好ましい。
【発明の効果】
【００１０】
本発明は、前記構成を具備したことで、通路口の開閉時（引き戸の移動時）における引き戸の第１レール側方への突出量を、引き戸の板厚程度に抑えることができる。これによって、本発明は、通路口の開閉を所謂回動式のドアで行う場合に比べて、間仕切り壁で区切った空間の利用に制限を生じ難くすることができる。
【図面の簡単な説明】
【００１１】
【図１】第１実施形態の開閉壁を示し、部屋の天井に沿って切断した平面図である。
【図２】同上の開閉壁の模式的な側面図である。
【図３】第３レールの側断面図である。
【図４】第２実施形態の開閉壁の模式的な側面図である。
【図５】同上の開閉壁を示し、部屋の天井に沿って切断した平面図である。
【発明を実施するための形態】
【００１２】
以下、本発明を添付図面に基づいて説明する。本実施形態の開閉壁１は、例えば、建物の部屋８に設けられる。部屋８は、開閉壁１を用いて、二つの空間８５，８６に仕切る状態と、この二つの空間８５，８６を繋げて仕切りの無い一つの空間にする状態とを選択することができる。
【００１３】
開閉壁１は、図１に示すように、スライド移動自在の複数のパネル３と、パネル３のスライド移動をガイドするレール２とを備える。そして、開閉壁１は、レール２として、二つの空間８５，８６の境界に沿って設けてある第１レール２１と、第１レール２１に並設される第２レール２２と、第１レール２１と第２レール２２とを繋ぐ第３レール２３と、パネル３収納用の第４レール２４とを備える。
【００１４】
第１レール２１は、前記境界の全長に亘って長尺に設けてある。言い換えると、第１レール２１は、前記境界上に、部屋８の所定の壁（第１壁８１）から第１壁８１に対向する他の壁（第２壁８２）に至る寸法で設けてある。第１レール２１は、例えば、部屋８の天井に取り付けてあり、この天井に固定される。
【００１５】
第１レール２１は、例えば、長手方向に視て、下方に開口した溝状に形成される。第１レール２１は、例えば、前記溝状のレール部材（図示せず）で形成される。
【００１６】
このレール部材は、例えば、長手方向に長尺で前記天井に固定される天面部と、この天面部の平面視において長手方向に直交する短手方向の両端から夫々下方に突出する側壁部とを有する。このため、前記レール部材は、例えば、長手方向に視て下向き角型Ｕ字状となっている。
【００１７】
以下、第１レール２１の長手方向を前後とし、第１壁８１側を後方とし、第２壁８２側を前方とし、平面視において、前後に直交する向きを左右とする。そして、前方から視た状態を正面視とし、左右から視た状態を側面視とする。すなわち、第１レール２１の前記レール部材は、前後に長尺で前記天井に固定される天面部と、天面部の右端から下方に突出する右側壁部と、天面部の左端から下方に突出する左側壁部とを有する。第１レール２１は、前記レール部材を前後に沿って備える。
【００１８】
第２レール２２は、平面視第１レール２１の側方（左右の一方）に設けてあり、例えば、本例では、第１レール２１の右側に設けてある。第２レール２２は、前後に長さを有する。第２レール２２は、第１レール２１と平行に設けてある。言い換えると、第２レール２２は、第１レール２１に沿って平面視第１レール２１と並列に設けてある（並設してある）。
【００１９】
第２レール２２は、前記天井に取り付けてあり、前記天井に固定される。第２レール２２は、正面視下方に開口した溝状に形成される。言い換えると、第２レール２２は、長手方向を前後に向けて（第１レール２１と平行にして）前記レール部材を備える。
【００２０】
また、第２レール２２は、左右及び上下の寸法が第１レール２１と同寸となっている。言い換えると、第２レール２２は、第１レール２１と同形状に設けられる。そして、第２レール２２は、前後長が第１レール２１に比べて短尺で形成される。
【００２１】
第３レール２３は、前記天井に取り付けてあり、前記天井に固定される。第３レール２３は、平面視第１レール２１と第２レール２２との間に設けてある。第３レール２３は、左右に長さを有する。第３レール２３は、図３に示すように、側面視下方に開口した溝状に形成される。言い換えると、第３レール２３は、長手方向を左右に向けて前記レール部材を配置して設けてある。
【００２２】
第３レール２３は、前後の寸法が第１レール２１（第２レール２２）の左右の寸法と同寸となっており、上下の寸法が第１レール２１（第２レール２２）の上下の寸法と同寸となっている。
【００２３】
言い換えると、第３レール２３は、第１レール２１（第２レール２２）と同形状に形成される。そして、第３レール２３は、第１レール２１（第２レール２２）に対して平面視９０度回転させた姿勢で設けてある。更に、第３レール２３は、第１レール２１（第２レール２２）に比べて短尺となっている。
【００２４】
第３レール２３は、その溝内部が左右に開口した形状となっている。第３レール２３は、図１に示すように、左右における第１レール２１側（左側）の一端が、第１レール２１の第２レール２２に近い側の側壁（前記レール部材の右側壁部）に接続される。第１レール２１は、この側壁の第３レール２３との接続位置に、左右及び下方に開口した開口部（第１開口部）を有する。この第１開口部は、第３レール２３の前記一端と同形同寸で開口する。
【００２５】
更に、第３レール２３は、左右における第２レール２２側（右側）の一端が、第２レール２２の第１レール２１に近い側の側壁（前記レール部材の左側壁部）に接続される。第２レール２２は、この側壁の第３レール２３との接続位置に、左右及び下方に開口した開口部（第２開口部）を有する。この第２開口部は、第３レール２３の前記一端及び第１開口部と同形同寸で開口する。
【００２６】
このため、第１レール２１と第２レール２２とは、第３レール２３を介して、互いの溝内部が連通接続する。言い換えると、第３レール２３は、第１レール２１の途中から第２レール２２側に分岐する分岐路となっている。そして、第１レール２１は、第３レール２３（前記分岐路）を介して、第２レール２２と左右に連通するよう構成される。
【００２７】
また、第３レール２３は、平面視２か所に設けてある。二つの第３レール２３，２３は、前後に所定の間隔をおいて配置される。このため、各第３レール２３，２３は、互いに異なる位置で第１レール２１と第２レール２２とを連通接続する。
【００２８】
第４レール２４は、前記天井に取り付けてあり、前記天井に固定される。第４レール２４は、第１レール２１の側方に配置される。そして、第４レール２４は、前後において、第２レール２２から離れた位置に配置される。例えば、第２レール２２が第１レール２１の前端部側に配置される場合、第４レール２４は、第１レール２１の後端部側に配置される。
【００２９】
第４レール２４は、例えば、平面視Ｌ字状に屈曲して設けてある。第４レール２４は、Ｌ字の各辺において、その長手方向（各辺に沿った向き）に視た断面形状が夫々、下方に開口した溝状に形成される。
【００３０】
言い換えると、第４レール２４は、前記レール部材の長手方向が左右を向く姿勢変更部２４１と、前記レール部材の長手方向が前後を向く収納部２４２とで形成される。このため、第４レール２４は、姿勢変更部２４１が左右に長さを有し、収納部２４２が前後に長さを有する。
【００３１】
姿勢変更部２４１は、左右における第１レール２１に近い側（左側）の一端が、第１レール２１の一方の側壁（前記レール部材の左側壁部）に接続される。第１レール２１は、この側壁の第４レール２４（姿勢変更部２４１）との接続位置に、左右及び下方に開口した開口部（第３開口部）を有する。この第３開口部は、姿勢変更部２４１の前記一端と同形同寸で開口する。
【００３２】
このため、姿勢変更部２４１は、前記一端で、第１レール２１に連通接続する。また、姿勢変更部２４１は、左右における残り一端（右側の一端）側が、収納部２４２に連通接続する。このため、収納部２４２は、姿勢変更部２４１を介して第１レール２１に連通接続する。
【００３３】
パネル３は、図２に示すように、板部材３５と、板部材３５上部に設けられた被保持部（図示せず）と、板部材３５下部に設けられた走行体（図示せず）とを備える。板部材３５は、上下に高さを有し且つ上下に直交した向きに幅を有した板状に形成される。言い換えると、板部材３５は、その板面が高さと幅とを有する。
【００３４】
板部材３５は、その上部において、幅方向の一端側に、前記被保持部（第１の被保持部）が設けてあり、幅方向の残り一端側に、前記被保持部（第２の被保持部）が設けてある。前記被保持部は、少なくともその上端を板部材３５から上方に突出させた状態で、板部材３５の上部に設けてある。前記被保持部は、レール２に保持される。
【００３５】
これによって、パネル３は、起立状態（上下に高さを有した状態）に保持される。前記被保持部は、レール２に保持された状態（起立状態）で、レール２に沿ってスライド移動自在となっている。なお、パネル３は、例えば、前記被保持部がレール２に保持されることで、レール２に吊り下げ支持される（所謂吊り持ちされる）構成であってもよい。
【００３６】
また、板部材３５は、その下部において、幅方向の一端側に、前記走行体（第１の走行体）が設けてあり、幅方向の残り一端側に、前記走行体（第２の走行体）が設けてある。前記走行体は、少なくともその下端を板部材３５から下方に突出させた状態で、設けてある。前記走行体は、例えば、車輪を備える。前記走行体（車輪）は、前記建物の床上を転動（走行）自在となっている。
【００３７】
このため、パネル３は、前記被保持部をレール２に保持させた状態で前記走行体を走行させることで、レール２に沿ってスライド移動する。そして、パネル３は、第１レール２１において、幅方向を前後に沿わせた状態で、スライド移動することができる。
【００３８】
更に、複数のパネル３は、幅方向端部を互いに当接して前記境界上に並べて配置することで、板部材３５で部屋８を二つの空間８５，８６に区切ることができる。言い換えると、パネル３は、第１レール２１に沿って隣接して複数並ぶことで、部屋８を区切る間仕切り壁４となる。
【００３９】
また、パネル３は、一方の前記被保持部を第１レール２１に残し、他方の前記被保持部を第１レール２１から姿勢変更部２４１を介して収納部２４２に移動させることで、幅方向を前後に沿わせた姿勢から左右に沿わせた姿勢に切り替えることができる。これによって、複数のパネル３は、板部材３５の板面を前後に重ねた状態で配置する（収納する）ことができる。このとき、部屋８は、前記境界上に間仕切り壁４が無くなるため、仕切りの無い一つの空間に切り替わる（二つの空間８５，８６が前記境界の略全体で連通する）。
【００４０】
このように、パネル３は、第１レール２１に沿って配置することで、間仕切り壁４となる間仕切り姿勢となり、第４レール２４と第１レール２１とに跨って配置することで、間仕切り壁４として機能しない収納姿勢となる。このため、開閉壁１は、パネル３を間仕切り姿勢と収納姿勢とに切り替えることで、部屋８を空間の数が異なる二つの前記状態に切り替えるよう構成される。
【００４１】
また、開閉壁１は、図１に示すように、複数のパネル３のうち、一つのパネル３（第１パネル３１）を第２レール２２に配置することができる。この場合、第１パネル３１は、第１レール２１から第３レール２３を介して第２レール２２に移動される。
【００４２】
第１パネル３１は、幅方向を前後に沿わせた状態（間仕切り姿勢）で、第２レール２２に配置される。そして、第２レール２２に配置した状態で、第１パネル３１は、第２レール２２に沿ってスライド移動自在となる。
【００４３】
このため、開閉壁１は、第１パネル３１を間仕切り姿勢で第２レール２２に配置し、残りのパネル３（第２パネル３２）を間仕切り姿勢で第１レール２１に配置して、部屋８を区切ることができる。
【００４４】
そして、開閉壁１は、第１パネル３１を第２レール２２に配置することで、第１レール２１上に形成される間仕切り壁４において、パネル３一つ分左右に開口した箇所（開口箇所）を形成することができる。更に、開閉壁１は、前記開口箇所を、二つの空間８５，８６を往来可能な通路口５に用いることができる。
【００４５】
開閉壁１は、第２レール２２と左右に並ぶ位置に、通路口５を設けることで、通路口５を第１パネル３１で閉塞することができる。このとき、開閉壁１は、通路口５と第２レールとを左右に並べるにあたり、前後において第３レール２３（前記第１開口部）から離れた位置（前記第１開口部を含まない位置）に、通路口５を形成することが好ましい。
【００４６】
開閉壁１は、通路口５を第２レール２２と左右に並べた状態で、第１パネル３１を前後にスライド移動させることで、第１パネル３１で通路口５を閉塞した状態と、通路口５を左右に開放した状態とに切り替えることができる。
【００４７】
このため、第１パネル３１は、通路口５を開閉する引き戸６となる。言い換えると、第１パネル３１は、第２レール２２に配置することで、引き戸姿勢となる。また、第２レール２２は、引き戸６のスライド移動用（開閉用）のレール２となる。
【００４８】
なお、第１パネル３１は、図２に示すように、各板面の幅方向一端側に、スライド操作用の操作部３１１が設けてあり、操作部３１１は、例えば、凹部となっている。このため、ユーザーは、第１パネル３１を引き戸６として用いるときに、前記凹部に指をかける等で操作部３１１を介して、第１パネル３１をスライド移動させることができる。これによって、開閉壁１は、通路口５の開閉を行い易くすることができる。
【００４９】
また、開閉壁１は、図３に示すように、第１パネル３１を引き戸６とした状態（引き戸姿勢の状態）で、第３レール２３にストッパー５１が取り付けてある。ストッパー５１は、第３レール２３の溝内部の形状と同形状に形成される。言い換えると、ストッパー５１は、第３レール２３の溝内部に嵌り込み可能な形状で設けてある。
【００５０】
このため、ストッパー５１は、第３レール２３（分岐路）に嵌め込むことで、第３レール２３に取り付けられる。これによって、第３レール２３は、第２レール２２や第１レール２１からの前記被保持部の移動（侵入）を規制することができる。言い換えると、パネル３は、ストッパー５１によって第３レール２３への移動が規制される。
【００５１】
これによって、第１パネル３１は、引き戸姿勢時に、第３レール２３に前記被保持部が干渉し難くなり、引き戸６としてのスライド移動を行い易くすることができる。そして、ストッパー５１は、第３レール２３に対して脱着自在となっている。このため、開閉壁１は、ストッパー５１を外すことで、パネル３の第３レール２３への移動規制を解除することができる。
【００５２】
このように、開閉壁１は、少なくとも上下一方に設けた第１レール２１と、第１レール２１に沿って移動自在の複数のパネル３とを備える。開閉壁１は、第１レール２１に沿って複数のパネル３を並べることで、パネル３を間仕切り壁４とするよう構成される。開閉壁１は、間仕切り壁４の通路口５に、第１レール２１に比べて小寸の第２レール２２を、平面視第１レール２１と並列に配置してある。開閉壁１は、通路口５の引き戸６を第２レール２２に沿ってスライド移動自在に設けたものである。
【００５３】
これによって、開閉壁１は、幅方向の一端を支点に平面視旋回する（幅を半径とした平面視扇状に動作スペースを要する）所謂回動式のドア（以下、開き戸）に比べて、パネル３（第１パネル３１）の左右の突出量を抑えて、通路口５の開閉を行うことができる。言い換えると、開閉壁１は、通路口５の開閉に伴う第１パネル３１の左右の突出量を、平面視幅方向に直交するパネル３の厚さ分（前記幅に比べて小寸の板厚）程度の寸法に抑えることができる。
【００５４】
このため、開閉壁１は、例えば、第１レール２１の通路口５後方の第２レール２２側の側方（右側）に、第１レール２１から引き戸６の板厚以上離して家具等の物を配置することで、前記物等を引き戸６の動作（スライド移動）に干渉し難くすることができる。対して、前記開き戸の場合では、前記側方に前記開き戸の幅以上離して（旋回範囲外に）前記物等を配置することとなる。
【００５５】
このように、開閉壁１は、通路口５の開閉を前記開き戸で行う場合に比べて、前記物等を第１レール２１に近づけて配置し易くすることできる。これによって、開閉壁１は、通路口５の開閉を前記開き戸で行う場合に比べて、間仕切り壁４で区切った空間８５，８６の利用に制限を生じ難くすることができる。
【００５６】
更に、開閉壁１は、第２レール２２の長手方向の寸法を第１レール２１と同寸で設けた場合に比べて、レール２の長尺化を抑制することができる。このため、開閉壁１は、施工コストの増加を抑制したり、施工性を向上し易くしたり等、施工を簡素化することができる。
【００５７】
また、開閉壁１は、間仕切り壁４で区切る部屋８の前記天井に、第２レール２２と、第１レール２１に第２レール２２を接続する第３レール２３とを固定するよう構成することが好ましい。そして、開閉壁１は、引き戸６が、第３レール２３を介して、第１レール２１に移動自在であることが好ましい。
【００５８】
この場合、開閉壁１は、パネル３を収納部２４２に収納するときに、引き戸６（第１パネル３１）を第１レール２１に移動させて、間仕切り壁４となる他のパネル３（第２パネル３２）と同じ（前後に重なる）収納位置（収納部２４２）に移動させることができる。これによって、開閉壁１は、第２レール２２を収納位置まで延長して設けなくても、他のパネル３（第２パネル３２）と同様に引き戸６（第１パネル３１）を収納することができる。
【００５９】
言い換えると、開閉壁１は、間仕切り壁４及び引き戸６の両方の収容位置への移動用のレール２に、第１レール２１を用いることができる。このため、開閉壁１は、例えば、第２レール２２の長手方向の寸法を、通路口５開閉に要する引き戸６のスライド移動範囲に抑えることができる。これによって、開閉壁１は、レール２の長尺化を抑制し易くすることができ、レール２の長尺に伴う空間８５，８６の利用の制限を軽減し易くすることができる。
【００６０】
また、開閉壁１は、引き戸６の第３レール２３への移動を規制するストッパー５１を、第３レール２３に脱着自在で設けたものであることが好ましい。
【００６１】
これによって、開閉壁１は、引き戸６の開閉時に、引き戸６の第３レール２３へのずれ込み（入り込み）を抑制することができる。これによって、開閉壁１は、引き戸６の開閉を安定して行い易くすることができる。
【００６２】
更に、開閉壁１は、引き戸６のスライド移動範囲内に第３レール２３との接続部位（第２開口部）が位置しても、安定して引き戸６を開閉させることができる。このため、開閉壁１は、例えば、前記第２開口部が前記スライド移動範囲外に位置する程度に、第２レール２２を延長して設ける（長尺に設ける）必要が無くなる。これによって、開閉壁１は、レール２の長尺化を抑制し易くすることができる。
【００６３】
なお、第１パネル３１は、第１レール２１に沿って通路口５に配置することで、間仕切り壁４に用いてもよい。言い換えると、第１パネル３１は、第２レール２２に配置した引き戸姿勢と、第１レール２１に配置した間仕切り姿勢と、収納姿勢とを切替自在であってもよい。この場合、開閉壁１は、間仕切り壁４を形成することで、部屋８を、引き戸６で開閉自在な通路口５を有して二つの空間８５，８６に区切る状態と、通路口５を有さずに二つの空間８５，８６に区切る状態とに切替自在となる。
【００６４】
また、開閉壁１は、移動を規制して第２パネル３２を第１レール２１に保持するロック部（図示せず）を備え、このロック部で第２パネル３２を移動可能状態と移動規制（移動不可能）状態とに切替自在とすることが好ましい。言い換えると、開閉壁１は、第２パネル３２の移動を規制するロック部を備え、このロック部の規制を解除することで、第２パネル３２が移動自在となるよう構成されることが好ましい。
【００６５】
この場合、開閉壁１は、間仕切り壁４として第２パネル３２を配置した状態において、第２パネル３２の通路口５側への移動を抑制する（制限する）ことができる。これによって、開閉壁１は、通路口５の第２パネル３２による閉塞を抑制して、引き戸６での通路口５の開閉を行い易くすることができる。
【００６６】
次に、第２実施形態の開閉壁１を、図４，５に基づいて説明する。なお、以下では、第１実施形態と同様の構成に対して、同じ符号を付して重複する説明は省略する。
【００６７】
本実施形態では、開閉壁１が第３レール２３を備えていない。また、第１パネル３１、第２パネル３２の一つ、第２レール２２の構成が夫々、第１実施形態と異なる。
【００６８】
第２レール２２は、図４に示すように、前後において通路口５の隣に配置される第２パネル３２（第３パネル３３）に固定してある。第２レール２２は、第３パネル３３の板部材３５の一方の板面（例えば、左側の板面）に設けてある。第２レール２２は、溝の開口を第３パネル３３の左右外方に向けた状態で、配置される。第２レール２２は、長手方向を前後に沿わせた状態で、第３パネル３３に固定してある。
【００６９】
言い換えると、第２レール２２は、前記レール部材を前後に沿って配置してある。第２レール２２の前記レール部材は、Ｕ字の開口を第３パネル３３の左右外方に向けて、第３パネル３３の板部材３５の板面に固定してある。
【００７０】
第２レール２２は、例えば、上下に所定の間隔をおいて二つ設けてあり、例えば、一方の第２レール２２が上端側に設けてあり、残り一方の第２レール２２が下端側に設けてある。そして、二つの第２レール２２，２２は、同形同寸に形成されており、平面視上下に並んで位置する。
【００７１】
第１パネル３１は、図５に示すように、第３パネル３３の左右の第２レール２２を設けた側の外方に配置される。第１パネル３１は、板部材３５の第３パネル３３側の板面に、前記被保持部が設けてある。前記被保持部は、第１パネル３１から第３パネル３３側に突出する。
【００７２】
前記被保持部は、例えば、上下に所定の間隔をおいて二つ設けてあり、例えば、一方の前記被保持部が上端側に設けてあり、残り一方の前記被保持部が下端側に設けてある。二つの前記被保持部は、第２レール２２と同じ上下間隔で設けてある。
【００７３】
このため、二つの前記被保持部は夫々、左右において対応する（左右に並ぶ）第２レール２２に各々保持される。言い換えると、第１パネル３１は、上下２か所で、第３パネル３３（第２レール２２）に保持される。これによって、第１パネル３１は、第２レール２２に沿って、第３パネル３３に対して前後にスライド移動自在となる。言い換えると、第３パネル３３は、引き戸６をスライド移動自在で取り付けたパネル３となっている。
【００７４】
また、第１パネル３１は、板部材３５の幅方向の寸法が、通路口５の前後の寸法に比べて大寸で形成される。このため、第１パネル３１は、通路口５を閉塞した状態で、幅方向の一端（後端）側が第３パネル３３の幅方向の一端（前端）側に左右に重なって位置する。言い換えると、第１パネル３１は、一部が第３パネル３３に重なった状態で通路口５を閉塞するよう構成される。そして、第１パネル３１は、前記一部が第３パネル３３に重なった状態で、前記被保持部が第２レール２２に保持されるよう構成される。
【００７５】
このように、開閉壁１は、第１レール２１の長手方向において通路口５に隣接するパネル３（第３パネル３３）の間仕切り壁４の壁面となる板面に、第２レール２２を設けてあることが好ましい。そして、開閉壁１は、引き戸６が、第２レール２２を介して、パネル３（第３パネル３３）に対してスライド移動自在であることが好ましい。
【００７６】
この場合、開閉壁１は、例えば、第２レール２２の長手方向の寸法を、第３パネル３３の幅方向の寸法に収めることができる。これによって、開閉壁１は、第２レール２２を第１レール２１と同寸で設けた場合に比べて、レール２の長尺化を抑制することができる。更に、開閉壁１は、第２レール２２や第３レール２３を前記天井（部屋８）に固定せずに済むため、施工を行い易くすることができる。
【００７７】
また、開閉壁１は、第３パネル３３の板面に、上下に所定の間隔をおいて第２レール２２を二つ設けることが好ましい。この場合、開閉壁１は、例えば、上方側の第２レール２２のみで保持した場合等に比べて、引き戸６が上下に対して傾き難くなる等で、引き戸６の重心を安定させた状態でスライド移動させ易くすることができる。これによって、開閉壁１は、引き戸６の開閉時に、部屋８の床を傷つけ難くすることができる。
【００７８】
また、開閉壁１は、移動を規制して第３パネル３３を第１レール２１に保持するロック部（図示せず）を備え、このロック部で第３パネル３３を移動可能状態と移動規制（移動不可能）状態とに切替自在とすることが好ましい。言い換えると、開閉壁１は、第３パネル３３の移動を規制するロック部を備え、このロック部の規制を解除することで、第３パネル３３が移動自在となるよう構成されることが好ましい。
【００７９】
この場合、開閉壁１は、第３パネル３３を含む第２パネル３２を、間仕切り壁４として配置した状態において、第３パネル３３を含む第２パネル３２の前後の移動を抑制する（制限する）ことができる。このため、開閉壁１は、引き戸６のスライド移動時に、第３パネル３３が引き戸６に引きずられて通路口５側へ移動することを、抑制することができる。これによって、開閉壁１は、第３パネル３３による通路口５の閉塞を抑制して、引き戸６での通路口５の開閉を行い易くすることができる。
【００８０】
なお、本発明は、前述の実施形態の構成のみに限定されるものではなく、本発明の意図する範囲内であれば、適宜の設計変更を行うことが可能である。例えば、開閉壁１は、レール２を上下一対で設け、下方に設けたレール２で、前記走行体をガイドするよう構成してもよい。また例えば、前記走行体は、車輪を備えたものに限らない。また例えば、開閉壁１は、第２レール２２（通路口５、引き戸６）を第１レール２１の後端部側に配置し、第４レール２４を第１レール２１の前端部側に配置してもよい。
【００８１】
また例えば、開閉壁１は、第１実施形態のように第２レール２２を前記天井に取り付ける場合、右側に限らず、左側であってもよい。また例えば、開閉壁１は、第２レール２２を第１レール２１の左右の一方に配置し、第４レール２４を第１レール２１の左右の残り一方に配置してもよい。
【００８２】
また例えば、開閉壁１は、第２実施形態のように第３パネル３３を備える場合、第２レール２２を第３パネル３３の右側の板面に設けてもよい。また例えば、また例えば、開閉壁１は、第３パネルに対する左右のうち、左右における第１レール２１に対する第４レール２４側と同じ側（例えば、図５の場合、右側）に、第２パネル３２を配置してもよい。言い換えると、第３パネル３３は、左右いずれの板面に第２レール２２を取り付けてもよい。
【符号の説明】
【００８３】
１  開閉壁
２  レール
３  パネル
４  間仕切り壁
５  通路口
６  引き戸
２１  第１レール
２２  第２レール
２３  第３レール
３１  第１パネル
３２  第２パネル
３３  第３パネル
５１  ストッパー
８  部屋
【図１】
2015055127.tif 000003
【図２】
2015055127.tif 000004
【図３】
2015055127.tif 000005
【図４】
2015055127.tif 000006
【図５】
2015055127.tif 000007